(57)【特許請求の範囲】
【請求項１】
防虫剤を収納する偏平状の容器本体とフック状の吊下体とからなる吊下型防虫剤容器であって、容器本体は縦方向と横方向の長さが異なる平面形状をしており、その隣接する縦方向端縁と横方向端縁に沿ってそれぞれの中央位置まで延設したスライド部を有するとともに、吊下体はフック部とその根元に係止部とを有しており、吊下体の係止部が容器本体のスライド部に沿って移動可能になっていることを特徴とする吊下型防虫剤容器。
【請求項２】
吊下体の係止部は、容器本体のスライド部の両端でそれぞれ固定可能になっていることを特徴とする請求項１に記載の吊下型防虫剤容器。
【発明の詳細な説明】
【技術分野】
【０００１】
本発明は、洋服ダンス、クローゼット等に吊り下げて使用する衣料用等の防虫剤容器に関するものである。
【背景技術】
【０００２】
従来より、衣料用等の防虫剤容器として、洋服ダンスやクローゼットの中に吊り下げて使用するタイプのものが広く知られている。この防虫剤容器は、プラスチック成形品であって、防虫剤を収納する容器本体の上部にフック状の吊下体を有しており、使用時に際しては、洋服ダンスやクローゼットの中に張設されたパイプ（ポール）にフック状の吊下体を引っ掛けて全体を吊り下げるようになっている。
【特許文献１】特開平９−２０５９６３号公報
【特許文献２】特開２００３−２６７４６６号公報
【特許文献３】特開２００１−２７５８０１号公報
【発明の開示】
【発明が解決しようとする課題】
【０００３】
上記したような吊下型防虫剤容器は、偏平状の袋に入れた防虫剤を用いているので、それを収納するために全体形状が偏平かつ長方形となったものが多い。そして、洋服ダンスやクローゼットの中に吊り下げた際に、上下方向の寸法を短くして衣類の邪魔にならないようにするために、従来はいわゆる横型としたものが殆どである。ところが、洋服ダンスのタイプや使用状況によっては、縦長状態で吊り下げたい場合があるが、従来の吊下型防虫剤容器では、このような要望に応えることができない。縦型の吊下型防虫剤容器を販売することも考えられるが、アイテムが増えてしまい、店頭における設置スペースが増えることになって販売効率が悪くなるし、また縦長状態でしか使えなくなるといった問題が生じる。
【０００４】
本発明は、このような問題点に鑑みてなされたものであり、その目的とするところは、使い方に応じて縦型と横型の選択を可能とした使い勝手のよい防虫剤容器を提供することにある。
【課題を解決するための手段】
【０００５】
上記の目的を達成するため、本発明の吊下型防虫剤容器は、防虫剤を収納する偏平状の容器本体とフック状の吊下体とからなる吊下型防虫剤容器であって、容器本体は縦方向と横方向の長さが異なる平面形状をしており、その隣接する縦方向端縁と横方向端縁に沿ってそれぞれの中央位置まで延設したスライド部を有するとともに、吊下体はフック部とその根元に係止部とを有しており、吊下体の係止部が容器本体のスライド部に沿って移動可能になっていることを特徴としている。
【０００６】
そして、上記構成の吊下型防虫剤容器において、吊下体の係止部は、容器本体のスライド部の両端でそれぞれ固定可能になっていることが好ましい。
【発明の効果】
【０００７】
本発明の吊下型防虫剤容器は、吊下体の係止部を容器本体のスライド部に沿って移動させることにより、吊下体にぶら下がる容器本体を縦向きと横向きとに自由に変えることができるため、洋服ダンスのタイプや使用状況に応じて縦型と横型の選択が可能であり、従来のものに比べて使い勝手がよいものとなる。
【発明を実施するための最良の形態】
【０００８】
次に、本発明の実施の形態について図面を参照しながら詳細に説明する。
【０００９】
図１は本発明に係る吊下型防虫剤容器の一例を示す正面図であり、図２は図１の縦方向断面図である。
【００１０】
図示の吊下型防虫剤容器Ａは、防虫剤を収納する偏平状の容器本体１０とフック状の吊下体２０とからなり、これらはいずれもプラスチック成形品で構成されている。容器本体１０は、長方形状をしており、その隣接する２辺に沿って各辺の中央位置まで延設したＬ字型の溝からなるスライド部１１を有するとともに、吊下体２０はフック部２１とその根元に係止部２２とを有している。
【００１１】
吊下体２０の係止部２２は容器本体１０のスライド部１１に沿って移動可能になっている。すなわち、図示の防虫剤容器Ａでは、スライド部１１は、中空の容器本体１０における表裏部材のそれぞれ同じ位置にある溝で構成されている。そして、フック部２１の根元から二股状の係止部２２が延設され、この係止部２２の両先端には相対する突起部分２３が設けられており、これらの突起部分２３が容器本体１０における表裏部材のそれぞれの溝に嵌合している。また、突起部分２３の先端に抜止めと案内の役目を果たす傘状部分２４が設けられている。
【００１２】
また、容器本体１０のスライド部１１は両先端にそれぞれ外向きの拡大部分１１ａ，１１ｂを有している。そして、吊下体２０の係止部２２における突起部分２３がこれらの拡大部分１１ａ，１１ｂに入り込むことにより、吊下体２０の係止部２２は容器本体１０のスライド部１１の両端でそれぞれ固定可能になっている。
【００１３】
容器本体１０には、中に収納した揮発性の防虫剤を効率良く揮散させるため、図示の如く表裏面に多数のスリット１２が設けられている。容器本体１０の中に防虫剤を収納するための構造は従来の任意のものと同様でよい。例えば、容器本体１０を互いにヒンジで連設した表枠体と裏枠体とで構成し、広げた状態で防虫剤をセットした後、ヒンジのところで枠体同士を合わせるように折り曲げて嵌め合わせる構造としてもよいし、或いは、容器本体の端面から板状の防虫剤を差し込むようにしてもよい。そして、この容器本体１０の収納構造に合わせてスライド部１１を設計すればよい。
【００１４】
図１及び図２に示す吊下型防虫剤容器Ａを洋服ダンス、クローゼット等のパイプに吊り下げるに際しては、吊下体２０の係止部２２を容器本体１０のスライド部１１に沿って移動させることで、横型と縦型のいずれかにすることができる。すなわち、吊下体２０の係止部２２の突起部分２３を長辺側の拡大部分１１ａに入り込ませると図３に示す如く横型となり、短辺側の拡大部分１１ｂに入り込ませると図４に示す如く縦型となる。吊り下げた状態では、係止部２２の突起部分２３が拡大部分１１ａ，１１ｂに入り込んだ状態が維持されるので、洋服が当たるなどして多少の動きがあっても位置がずれるようなことはない。このように、上記の吊下型防虫剤容器Ａは、使い方によって縦型にするか横型にするかを選択することができる。
【００１５】
本発明の吊下型防虫剤容器は、上記した如くプラスチック成形品からなるが、具体的な素材としては、ポリエチレン、ポリプロピレン、ポリスチレン、ナイロン、ポリエチレンテレフタレート、ポリアセタール、ＡＢＳ樹脂、ポリカーボネート等が用いられる。これらの中でも、ポリエチレン、ポリプロピレンが好適である。
【００１６】
以上、本発明の実施の形態について詳細に説明してきたが、本発明による吊下型防虫剤容器は、上記実施の形態に何ら限定されるものではなく、本発明の趣旨を逸脱しない範囲において種々の変更が可能であることは当然のことである。
【００１７】
例えば、容器本体は、縦方向と横方向の長さが異なる平面形状をしていさえすればどのような形状のものでよい。上記の例では長方形状のもので説明したが、楕円形状でもよいし、端縁に別のデザインが施されたような形状でもよい。そして、どのような平面形状の容器本体であっても、その隣接する縦方向端縁と横方向端縁に沿ってそれぞれの中央位置まで延設したスライド部を設けることは言うまでもない。
【００１８】
また、容器本体のスライド部と吊下体の係止部の構造は、吊下体の係止部が容器本体のスライド部に沿って移動可能になっていさえすれば、上記したものに限らず、任意の構造を採りえる。因みに、図５に示すものは、図２に示した吊下型防虫剤容器において吊下体２０の係止部２２を簡単な構造としたものである。
【産業上の利用可能性】
【００１９】
本発明の吊下型防虫剤容器は、衣料用等の防虫剤を収納する用途の他に、除湿剤、脱臭剤、脱酸素剤等、その他の薬剤を収納して用いることも可能である。
【図面の簡単な説明】
【００２０】
【図１】本発明に係る吊下型防虫剤容器の一例を示す正面図である。
【図２】図１の縦方向断面図である。
【図３】図１に示した吊下型防虫剤容器を横型とした場合を示す正面図である。
【図４】図１に示した吊下型防虫剤容器を縦型とした場合を示す正面図である。
【図５】図２に示した吊下型防虫剤容器の変形例を示す縦方向断面図である。
【符号の説明】
【００２１】
Ａ  吊下型防虫剤容器
１０  容器本体
１１  スライド部
１１ａ，１１ｂ  拡大部分
１２  スリット
２０  吊下体
２１  フック部
２２  係止部
２３  突起部分
【図１】
0004743603.tif 000002
【図２】
0004743603.tif 000003
【図３】
0004743603.tif 000004
【図４】
0004743603.tif 000005
【図５】
0004743603.tif 000006